(57)【要約】【課題】移動体管理機能を、既存設備を活用しながら新たな種類のメディアをも加味した広域伝送情報通信システムを提供すること。【解決手段】ビルやマンション、駅前広場、地下街、ホテルのロビー等において、あらかじめ設置された通信ベース基地に対し、ＳＡＷデバイスを介して、それぞれの通信ベース基地の信号を信号統合機器により一括集合させ、ＳＳ信号からパケットデータ通信信号に変換し、パケットデータ通信網に送出する。また受信機器においては、パケットデータ通信網から受信したパケットデータ通信信号をＳＳ信号に変換し、ＳＡＷデバイスを介してこの拡散変調信号を受信して復調し、位置管理データを融合することにより、前記対象エリアの広義性・利便性・柔軟性、必要な用途に応じた位置確認の正確性、情報通信の秘匿性及びプライバシー・セキュリティ機能性を可能とした広域位置管理情報通信システムを経済的に構築することが可能となる。【選択図】図１
2008048373.tif 000002
【特許請求の範囲】
【請求項１】
ビルやマンション、駅前広場、地下街、ホテルのロビー等において、あらかじめ設置されたＳＳ信号送受信用のＳＳ通信ベース基地に対し、ＳＡＷデバイスを介して、送信機能と受信機能を有する受発信機器にアンテナ機能を接続し、送信側においてＳＡＷデバイス方式によるスペクトル拡散処理を行って信号を拡散変調し、通信ベース基地に対して拡散信号を送出する一方で、それぞれの通信ベース基地の信号を信号統合機器により一括集合させ、ＳＳ信号からパケットデータ通信信号に変換し、パケットデータ通信網に送出する。また受信機器においては、パケットデータ通信網から受信したパケットデータ通信信号をＳＳ信号に変換し、ＳＡＷデバイスを介してこの拡散変調信号を受信して復調し、位置管理データを融合することにより、移動位置管理の処理を行う通信システムを構築する。
【請求項２】
パケットデータ通信網から送出されたパケットデータ通信網信号をＳＳ信号に変換し、それをＳＡＷデバイス方式によるスペクトル拡散処理された信号を無線処理可能な１または複数個のＳＡＷデバイス無線中継手段を接続して、前記通信ベース基地の信号を信号統合機器により一括集合させ信号統合機器を介して、送信機能端末および受信機能端末のうちすくなくともいずれか一方を移動体無線端末として、前記ＳＡＷデバイス無線中継手段を介して前記あらかじめ設置されたＳＳ信号送受信用の通信ベース基地に接続し、無線送信端末においてスペクトル拡散処理された拡散変調信号を、前記ＳＡＷデバイス無線中継手段を介して送出し、或いは無線受信端末において前記ＳＡＷデバイス無線中継手段を介して前記あらかじめ設置された信号送受信用の通信ベース基地から拡散変調信号を受信して復調して、デジタルデータを送受信する広域伝送送受信情報通信システムを構築する。
【請求項３】
前記ビルやマンション、駅前広場、地下街、ホテルのロビー等などにおいて、あらかじめ設置されたＳＳ信号送受信用のＳＳ通信ベース基地において、前記通信ベース基地の信号を信号統合機器により一括集合させ信号統合機器を介して、ＳＳ信号からパケットデータ通信信号に変換し、或いはまた、パケットデータ通信信号からＳＳ信号に変換し、前記通信ベース基地の信号を信号統合機器により一括集合させ信号統合機器を介してパケットデータ通信網とのシームレス化を図り、ＳＳＩＰパケットより構築されているＳＳスポット網とパケットデータ通信網の融合により、有効且つ便利な情報通信可能な伝送領域を確保する広域伝送情報通信システムを構築する。
【発明の詳細な説明】
【技術分野】
【０００１】本発明は、ＳＳスポット網通信システムとパケットデータ通信網によるシームレス化より、より広範囲なエリアにおいて移動物体における広域位置管理伝送機能を確保できる広域位置管理情報通信システムに関するものである。
【背景技術】
【０００２】近年の通信技術の進歩に伴う新しい位置管理システムとしては、既存に使用しているＧＰＳシステム方式、ＰＳＨ位置検索システム方式があるが、共にそれぞれの特色があるものの、開発の方式の出発点において、それぞれの機能の方向が決められている。【０００３】ＧＳＰ位置検索システム方式は、元来航空機・船舶の航法支援システムとして開発されたシステムである。方式そのものとしては、ある一定の用途として機能拡充されてきた。故に、地下街やマンションやビル・病院・公共施設などの建物の内部については、電波の届く範囲が限られている。【０００４】ＰＳＨ位置検索システム方式は、本来簡易携帯電話の通信用のアンテナの位置より移動体の位置を割り出していたもので、ＧＰＳなどに比べてその制度が緩慢になる。
【発明の開示】
【発明が解決しようとする課題】
【０００５】しかしながら、このように従来のＧＰＳ位置検索システム方式、ＰＳＨ位置検索システム方式においては、対象エリアの狭義性・不便性、位置確認の正確性、通信の秘匿性及びプライバシー・セキュリティ機能性について、それぞれの専用的昨日の特徴はあるもののトータル的に統合されたものとしてのシステム構築ついては、いままでに顧みられることはなかった。【０００６】本発明は上記従来の問題点を鑑みてなされたもので、その目的は、ＳＳスポット網、パケットデータ通信網及びＧＰＳ位置検索システムの融合及びシームレス化により、それぞれの持味を生かしつつ、新しいＳＳスポット網の持つ機能を付加することにより、対象エリアの広義性・利便性・柔軟性、必要な用途に応じた位置確認の正確性、情報通信の秘匿性及びプライバシー・セキュリティ機能性を可能とした広域位置管理情報通信システムを提供することである。
【課題を解決するための手段】
【０００７】本発明は、上記目的を達成するために、マンションやビル、病院などにおいて、また広場・公園、駅前広場、ホテルのロビー等において、あらかじめ設置されたＳＳ信号送受信用の通信ベース基地に対し、ＳＡＷデバイスを介して、送信機能と受信機能を有する受発信機器にアンテナ機能を接続し、送信側においてＳＡＷデバイス通信方式によるスペクトル拡散処理を行って信号を拡散変調し、セル内にある通信ベース基地に対して拡散信号を送出する一方で、それぞれの通信ベース基地の信号を信号統合機器により一括集合させ、ＳＳ信号からパケットデータ通信信号に変換し、パケットデータ通信網に送出する。また受信機器においては、パケットデータ通信網から受信したパケットデータ通信信号をＳＳ信号に変換し、ＳＡＷデバイスを介してこの拡散変調信号を受信して復調し、位置管理データを融合することにより、前記対象エリアの広義性・利便性・柔軟性、必要な用途に応じた位置確認の正確性、情報通信の秘匿性及びプライバシー・セキュリティ機能性を可能とした広域位置管理情報通信システムを構築することを要旨とする。【０００８】また、係る機能とあいまって、パケットデータ通信網から送出された信号をＳＳ信号に変換し、それをＳＡＷ方式によるスペクトル拡散処理された信号を無線処理可能な１または複数個のＳＡＷデバイス無線中継手段を接続して、前記通信ベース基地の信号を信号統合機器により一括集合させ信号統合機器を介して、送信機能端末および受信機能端末のうちすくなくともいずれか一方を移動体無線端末として、前記ＳＡＷデバイス無線中継手段を介して前記あらかじめ設置されたＳＳ信号送受信用の通信ベース基地に接続し、無線送信端末においてＳＡＷ方式によるスペクトル拡散処理された拡散変調信号を、前記ＳＡＷデバイス無線中継手段を介して送出し、或いは無線受信端末において前記ＳＡＷデバイス無線中継手段を介して前記あらかじめ設置されたＳＳ信号送受信用の通信ベース基地から拡散変調信号を受信して復調して、デジタルデータを送受信する広域伝送送受信情報通信システムを構築するシステム構成により、また、前記通信ベース基地の信号を信号統合機器により一括集合させ信号統合機器を介して、パケットデータ通信網とのシームレス化を図り、ＳＳ技術による位置情報機能、パケットデータ通信網の持つ位置情報機能が、双方の持つ、秘匿性、セキュリティ構築機能構築の下、検索する位置情報が他に漏れることなく入手でき、またプライバシー及びセキュリティ機能が確立できる広範囲な通信領域を確保できる広域位置管理伝送機能を備えた、すなわち、前記対象エリアの広義性・利便性・柔軟性、必要な用途に応じた位置確認の正確性、情報通信の秘匿性及びプライバシー・セキュリティ機能性を可能とした広域位置管理情報通信システムを経済的に構築することが可能となる。
【発明の効果】
【０００９】以上説明したように、本発明はビルやマンション、駅前広場、地下街、ホテルのロビー等においてなどにおいて、ＳＳスポット網とパケットデータ通信網がそれぞれに持ちえている機能に加味し、それを複合データ通信ゾーン化することによる新たな機能が生まれ、且つ、そのことは、既存設備を有効に活用しながら経済的に、シンプルに実現できる。すなわち、新たな移動体管理機能を含め、ゾーンの広がりを安価に、経済的に広域伝送情報通信システムを構築することが可能となる。
【発明を実施するための最良の形態】
【００１０】本発明の請求項１に記載の発明は、ビルやマンション、駅前広場、地下街、ホテルのロビー等において、あらかじめ設置されたＳＳ信号送受信用の通信ベース基地に対し、ＳＡＷデバイスを介して、送信機能と受信機能を有する受発信機器にアンテナ機能を接続し、送信側においてＳＡＷコンボルバ方式によるスペクトル拡散処理を行って信号を拡散変調し、当該セル内にある通信ベース基地に対して拡散信号を送出する一方で、それぞれの通信ベース基地の信号を信号統合機器により一括集合させ、ＳＳ信号からパケットデータ通信信号に変換し、パケットデータ通信網に送出する。また受信機器においては、パケットデータ通信網から受信したパケットデータ通信信号をＳＳ信号に変換し、ＳＡＷデバイスを介してこの拡散変調信号を受信して復調し、位置管理データを融合することにより、また、ＧＰＳ位置検索システムの融合及びシームレス化により、よりいっそうの対象エリアの広義性・利便性・柔軟性、必要な用途に応じた位置確認の正確性、情報通信の秘匿性及びプライバシー・セキュリティ機能性を可能とした経済的で、且つ、位置情報のみならず幅広いＳＳＩＰパケット情報通信機能をも併せ持つ広域位置管理情報通信システムを経済的且つシンプルに構築できる作用を有する。【００１１】本発明の請求項２に記載の発明は、パケットデータ通信網から送出されたパケットデータ通信網信号をＳＳ信号に変換し、それをＳＡＷデバイス方式によるスペクトル拡散処理された信号を無線処理可能な１または複数個のＳＡＷデバイス無線中継手段を接続して、前記通信ベース基地の信号を信号統合機器により一括集合させ信号統合機器を介して、送信機能端末および受信機能端末のうちすくなくともいずれか一方を移動体無線端末として、前記ＳＡＷデバイス無線中継手段を介して前記あらかじめ設置されたＳＳ信号送受信用の通信ベース基地に接続し、無線送信端末においてＳＡＷ方式によるスペクトル拡散処理された拡散変調信号を、前記ＳＡＷデバイス無線中継手段を介して送出し、或いは無線受信端末において前記ＳＡＷデバイス無線中継手段を介して前記あらかじめ設置されたＳＳ信号送受信用の通信ベース基地から拡散変調信号を受信して復調して、デジタルデータを送受信する広域伝送送受信情報通信システムを構築する。すなわち、既存システムであるパケットデータ通信網及びＧＰＳ位置検索システムがＳＳＩＰパケット情報通信機能をも併せ持つＳＳスポットをも含めた新たな領域において、新たな無線セルを創出することが可能であるとともに、また位置確認機能以外の新たなＳＳＩＰパケット情報通信という情報通信の種類を加え、ベース設備を増加することなく通信の用途を広げる作用を有する。【００１２】本発明の請求項３に記載の発明は、前記ビルやマンション、駅前広場、地下街、ホテルのロビー等において、あらかじめ設置されたＳＳ信号送受信用の通信ベース基地において、前記通信ベース基地の信号を信号統合機器により一括集合させ信号統合機器を介して、ＳＳ信号からパケットデータ通信信号に変換し、或いはまた、パケットデータ通信信号からＳＳ信号に変換し、前記通信ベース基地の信号を信号統合機器により一括集合させ信号統合機器を介してパケットデータ通信網とのシームレス化を図り、ＳＳＩＰパケットより構築されているＳＳスポット網とパケットデータ通信網の融合により、有効且つ便利な情報通信を出現させ、これまで、緯度経度による測位・航法主体のＧＰＳ情報通信と、音声通信から出発し、その後利用として周波数帯域の有効利用に用途を転じたパケットデータ情報通信に、新たな種類のＳＳスポット、すなわちＳＳＩＰパケット情報通信を融合し、シームレス化することによるその用途とエアリア拡大及び新機能の情報通信を可能とする新たな広域情報通信システムを経済的且つシンプルに構築することが可能となる作用を有する。【００１３】本発明の請求項４に記載の発明は、前記通信ベース基地の信号を信号統合機器により一括集合させ信号統合機器を介して、パケットデータ通信網とのシームレス化を図り、ＳＳ技術による位置情報機能、パケットデータ通信網の持つ位置情報機能が、双方の持つ、秘匿性、セキュリティ構築機能構築の下、検索する位置情報が他に漏れることなく入手でき、またプライバシー及びセキュリティ機能が確立できる広範囲な通信領域を確保できる広域位置管理伝送機能を備えた情報通信システムを構築する。そのことは、それ自体が持つそれぞれの特性を高度に効率化し、プライバシー及びセキュリティ面での悪化を極度に防ぎ、また、インタネット接続時におけるウィルス傷害等を抑える機能を持つ広域情報通信システムを構築する作用を有する。
【実施例１】
【００１４】図１はビルやマンション、駅前広場、地下街、ホテルのロビー等において、あらかじめ設置されたＳＳスポットとパケットデータ通信網とのシームレス化を図り、ＳＳＩＰパケットより構築されているＳＳスポット網とパケットデータ通信網の融合に適用した本発明の第１の実施例に係る広域伝送情報通信システムの概略構成を示すブロック図である。図１において、符号１はＳＳスポットとパケットデータ通信の融合されたエリア（屋外）、２はパケットデータ通信基地（屋外）、３はパケットデータ通信基地（屋内・地下）、４はパケットデータ通信信号変換機器、５はＳＳスポット基地（屋外）、６はＳＳスポット基地（屋内・地下）、７はＳＳスポットセル（屋外）、８はＳＳスポットセル（屋内・地下）、９はパケットデータ通信エリア（屋外）、１０はパケットデータ通信エリア（屋内・地下）、１１は地下・建物内（パケット網あり）、１２は地下・建物内（パケット網なし）、１３はパケットデータ通信である。これらのシームレス化関係からＳＳスポット情報通信網とＰＨＳパケットデータ通信網との融合・一体化が可能となる。
【実施例２】
【００１５】図１の４と５においてＳＡＷデバイスを搭載した広域伝送通信システム用接続機器、ＳＳスポット基地５のＳＡＷデバイスは、信号を受信する際の復調動作において、復調手順としてその信号を変換せずパケットデータ通信信号変換機器に送り、すなわち、５において受信した信号にたいして４に直接信号を送出し、４において相関操作を施して相関信号を得る。この相関操作において、受信信号に含まれるノイズ等が抑制され且つ同軸の持つ伝送特性の拡大をも含めるプロセスゲインの向上が得られ、相関信号は復調可能な信号となる。そして、この相関処理信号を検波復調処理して、後にパケットデータ信号を得る。そして、パケットデータ通信網との接続を果たす。
【実施例３】
【００１６】図１の１と１１及び１２の合わされたエリアは、前記地下街、マンションやビル、病院など一般的には電波信号が劣化し伝播状況が厳しい場所、図１の１２、あるいは公共施設、工場など、また各種道路や広場・公園、駐車場などにおいて、あらかじめパケットデータ通信基地が設置されている箇所、双方が設置されている場所などを含め、広範囲な情報通信エリアを確保できる広域情報通信システムである。
【図面の簡単な説明】
【００１７】
【図１】本発明の実施例に係るＳＳスポット網とパケットデータ通信網を活用し、移動体管理機能を始めとした新たなエリアと機能を可能とした広域伝送情報通信システムの構成ブロック図である。
【符号の説明】
【００１８】１．ＳＳスポットとパケットデータ通信の融合されたエリア（屋外）
２．パケットデータ通信基地（屋外）
３．パケットデータ通信基地（屋内・地下）
４．パケットデータ通信信号返還機器
５．ＳＳスポット基地（屋外）
６．ＳＳスポット基地（屋内・地下）
７．ＳＳスポットセル（屋外）
８．ＳＳスポットセル（屋内・地下）
９．パケットデータ通信エリア（屋外）
１０．パケットデータ通信エリア（屋内・地下）
１１．地下・建物内（パケット網あり）
１２．地下・建物内（パケット網なし）
１３．パケットデータ通信
【図１】
2008048373.tif 000003